(57)【特許請求の範囲】
【請求項１】
少なくとも、電子ビームを放射する電子銃と、多数の電子ビーム通過孔が形成されたシャドーマスクと、前記シャドーマスクを支持するフレームと、前記フレームに担持される内部磁気シールド、および少なくとも前記シャドーマスクを消磁する消磁コイルを具備する陰極線管において、
前記内部磁気シールドに、磁束捕捉板が前記消磁コイルの方向に向かって取り付けられていることを特徴とする陰極線管。
【請求項２】
前記磁束捕捉板は内部磁気シールドと一体構造あるいは溶接などにより接合形成されている構造であることを特徴とする請求項１記載の陰極線管。
【請求項３】
前記磁束捕捉板は内部磁気シールドのフレーム側、かつ消磁コイル側への折り曲げ構造であることを特徴とする請求項１または２記載の陰極線管。
【請求項４】
前記磁束捕捉板は内部磁気シールドの電子銃側、かつ消磁コイル側への折り曲げ構造であることを特徴とする請求項１または２記載の陰極線管。
【請求項５】
前記磁束捕捉板の内部磁気シールド接合部から先端部までの間で分岐した構造であることを特徴とする請求項１、２、３または４項記載の陰極線管。
【請求項６】
前記請求項第１、２、３、４または５項記載の陰極線管を用いることを特徴とする表示装置。
【発明の詳細な説明】
【０００１】
【発明の属する技術分野】
本発明は映像表示用途などに使われる陰極線管およびこれを用いた表示装置に係り、特にフレームに担持される内部磁気シールドの構造が改善された陰極線管およびこれを用いた表示装置に関する。
【０００２】
【従来の技術】
図１０は従来の陰極線管の垂直断面を示す断面図である。図１０に示すように、内側表面に不図示の蛍光体膜が形成されたパネル９１と、前記パネル９１と封着されるファンネル９２と、前記パネル９１内側表面から所定間隔で離隔され、多数の電子ビーム通過孔（不図示）が形成されたシャドーマスク９３と、前記シャドーマスク９３を支持するフレーム９４と、前記フレーム９４から担持される内部磁気シールド９５と、前記パネル９１及び前記ファンネル９２外側に捲回される上下１対の消磁コイル９６、および前記ファンネル部９２のコーン部９７に電子銃９８を具備している。
【０００３】
図１０の陰極線管はパネル９１の内側表面に塗布された不図示の蛍光体膜に対して電子銃９８から放射された電子ビーム９９を、不図示の走査手段により走査する。これにより電子ビーム９９はシャドーマスク９３上に形成された多数の電子ビーム通過孔（不図示）を通過し前記蛍光体膜の所望の部位にランディングすることで所望部位の蛍光体を発光させて所定の画像を表示を行う。また内部磁気シールド９５は高透磁率低保磁力の磁性材料で作られているため地磁気などの外部磁界による電子ビーム９９の偏向作用を阻止し、所望部位以外の蛍光体膜上に電子ビーム９９がランディングすることを防いでいる。このような陰極線管はテレビセット、コンピュータ用モニターディスプレイ、オシロスコープなどの表示装置等に多様に適用されている。
【０００４】
シャドーマスク９３は一般的に０．０５〜０．５ｍｍ程度の厚さの炭素鋼や鉄−ニッケル合金（インバー材）などの材料を使用し、エッチングあるいはプレス加工などにより成形されたものである。またフレーム９４も同様に炭素鋼やインバー材などの１〜４ｍｍ程度の鋼板を溶接あるいはプレス加工等により略額縁状に成型したものが用いられている。内部磁気シールド９５もまた同様に炭素鋼やインバー材などの０．３〜３ｍｍ程度の鋼板をプレスあるいは溶接など略四角錐状に成型されたものである。こうした炭素鋼やインバー材は磁性を有しており、シャドーマスク９３、フレーム９４、内部磁気シールド９５のいずれも最大磁束密度５００〜３０００、飽和磁束密度０．５〜２Ｔ、保磁力４０〜１０００Ａ／ｍ程度の磁気特性を有している。
【０００５】
こうした磁気特性を有する材料を用いているため使用状況によっては地磁気により着磁する現象が発生する。特に電子ビーム９９が通過して行くシャドーマスク９３が着磁した場合、シャドーマスク９３の着磁部位からの漏れ磁束により電子ビーム９９の軌道が意図しない方向に偏向させられる。その結果、所望部位以外の蛍光体膜上に電子ビーム９９がランディングし、カラー用蛍光体膜の場合などでは表示画像の色ずれ、ひずみなどの表示画質の劣化が発生する。
【０００６】
従来、これを防止・除去するため、任意のタイミングで消磁動作が行われる。具体的には不図示の電流発生手段より消磁コイル９６に大振幅かつ急速に減衰する交流電流が印加される。即ち、消磁コイル９６が発生する大振幅かつ急速に振動減衰する磁束がシャドーマスク９３の中を流れて、シャドーマスク９３の地磁界により着磁された部分を消磁させるようにしている。
【０００７】
しかし従来の陰極線管では、特に地磁気が強い地域や周囲の環境によっては上記の方法でもシャドーマスクの着磁を完全には除去できないという問題があった。
【０００８】
図１１は従来の陰極線管の消磁動作時の磁束経路の概略説明図である。図１１において消磁コイル９６ａ〜９６ｄによって発生された磁束１００（説明を簡略にするために磁束１００ａから１００ｄまでとする）上にある矢印は磁束１００の流れる方向を模式的に示すものである。
【０００９】
まず上側消磁コイルの下辺９６ａで発生した磁束１００ａは内部磁気シールド上面部９５ａを通り、フレーム長辺上９４ａ、シャドーマスク９３の上部へと向かう。また上側消磁コイル９６の上辺９６ｂで発生した磁束１００ｂも同様にフレーム長辺上９４ａを通過して磁束１００ａと合流する。合流した磁束はシャドーマスク９３の他、フレーム短辺左右９４ｃ、９４ｄを通ってフレーム長辺下９４ｂに向かい磁束１００ｃと磁束１００ｄに分離される。磁束１００ｄは下側消磁コイルの下辺９６ｄで発生される磁束と合流される（磁束１００ｄは下側消磁コイルの下辺９６ｄが発生した磁束でもある）。磁束１００ｃは内部磁気シールド下面部９５ｂを経由して陰極線管外に向かい下側消磁コイル上辺９６ｃで発生する磁束と合流する（磁束１００ｃは下側消磁コイル上辺９６ｃが発生した磁束ともいえる）。陰極線管外に出た磁束１００ｃはコーン部９７を通過して上側消磁コイル下辺９６ａによる磁束１００ａと合流する。従って磁束１００の経路は図１１に示すとおりの循環する経路となる。
【００１０】
しかしながら中心線より上部の構造に着目してみると、内部磁気シールド上面部９５ａおよびフレーム長辺上９４ａと上側消磁コイル９６ａ、９６ｂが作るコイルの閉曲面との位置関係は内部磁気シールド上面部９５ａの端部がわずかに上側消磁コイル９６ａ、９６ｂが作るコイルの閉曲面と交差するのみで、内部磁気シールド上面部９５ａ及びフレーム長辺上９４ａと上側消磁コイル９６ａ、９６ｂが作るコイルの閉曲面との間に間隔が開いている。中心線より下部でもまた同様である。この間隔は磁気的には大きな抵抗となるので上下の消磁コイル９６ａ〜９６ｄに電流が印加されても印加した電流の割に十分な磁束が発生しない現象が起こる。従ってシャドーマスク９３に流れる磁束も不足、あるいは電流量を上げて必要最低限のシャドーマスク９３の消磁が出来るような量の磁束しか流れていない。
【００１１】
以上の理由により従来の陰極線管ではシャドーマスクに強い着磁が起きた場合、着磁を完全には除去できなかった。このためシャドーマスクに着磁されたままの部分（消磁のむら）ができることになり、着磁部位からの漏れ磁束により電子ビームの軌跡が偏向して表示画質が劣化する問題があった。また消磁を完全に行うために初期的にとはいえ消磁コイルに大電流を印加することにより、消磁コイル自身やシャドーマスク、フレーム、シールドなとが振動して音鳴りを発生したり、陰極線管あるいはこれを用いた表示装置自体のエネルギー消費が増加する問題も抱えていた。
【００１２】
【発明が解決しようとする課題】
本発明は前記問題点を解決するために創出されたものであって、本発明の目的は、地磁気などにより強く着磁されたシャドーマスクでも十分消磁できるように改善した陰極線管およびこれを用いた表示装置を提供することにある。
【００１３】
【課題を解決するための手段】
前記目的を達成するために、本出願第一発明の陰極線管は、少なくとも、電子ビームを放射する電子銃と、多数の電子ビーム通過孔が形成されたシャドーマスクと、前記シャドーマスクを支持するフレームと、前記フレームに担持される内部磁気シールド、および少なくとも前記シャドーマスクを消磁する消磁コイルを具備し、かつ内部磁気シールドに、磁束捕捉板が消磁コイルの方向に向かって取り付けられていることを特徴とする。
【００１４】
また本出願第二発明の陰極線管は、前記磁束捕捉板は内部磁気シールドと一体構造あるいは溶接などにより接合形成されている構造である事を特徴とする。
【００１５】
また本出願第三発明の陰極線管は、前記磁束捕捉板は内部磁気シールドのフレーム側、かつ消磁コイル側への折り曲げ構造である事を特徴とする。
【００１６】
また本出願第四発明の陰極線管は、前記磁束捕捉板は内部磁気シールドの電子銃側、かつ消磁コイル側への折り曲げ構造である事を特徴とする。
【００１７】
また本出願第五発明の陰極線管は、前記磁束捕捉板の内部磁気シールド接合部から先端部までの間で分岐した構造である事を特徴とする。
【００１８】
また本出願第六発明の表示装置は、上記第一、第二、第三、第四、第五発明の陰極線管を用いることを特徴とする。
【００１９】
【発明の実施の形態】
以下、添付された図面に基づき本発明に係る陰極線管およびこれを用いた表示装置の実施形態を詳しく説明する。
【００２０】
（実施の形態１）
図１、図２、図３は本発明の実施の形態１を示す垂直断面図、内部構造の斜視図および消磁動作時の磁束経路の概略説明図である。以上のように構成された陰極線管について、以下、その動作を述べる。
【００２１】
図１、図２に示すように、内側表面に不図示の蛍光体膜が形成されたパネル１１と、前記パネル１１と封着されるファンネル１２と、前記パネル１１内側表面から所定間隔で離隔され、多数の電子ビーム通過孔（不図示）が形成されたシャドーマスク１３と、前記シャドーマスク１３を支持するフレーム１４と、前記フレーム１４から担持される内部磁気シールド１５と、前記パネル１１及び前記ファンネル１２外側に捲回される上下１対の消磁コイル１６、および前記ファンネル部１２のコーン部１７に電子銃１８を具備している。そして磁束捕捉板２１が前記内部磁気シールド１５に不図示のピン、ねじ等の手段により消磁コイル１６のコイル閉曲面方向に向かう角度にて密着固定されている。基本的に磁束捕捉板２１以外は図１０の従来の陰極線管と変わらない。
【００２２】
シャドーマスク１３は従来の陰極線管と同様に０．０５〜０．５ｍｍ程度の厚さの炭素鋼や鉄−ニッケル合金（インバー材）などの材料を使用し、エッチングあるいはプレス加工などにより成形されたものである。またフレーム１４も炭素鋼やインバー材などの１〜４ｍｍ程度の鋼板を溶接あるいはプレス加工等により略額縁状に成型したものが用いられている。内部磁気シールド１５も同様に炭素鋼やインバー材などの０．３〜３ｍｍ程度の鋼板をプレスあるいは溶接など略四角錐状に成型されたものである。そして磁束捕捉板２１もまた同様に炭素鋼やインバー材などの０．３〜３ｍｍ程度の鋼板をプレスあるいは溶接など所定の形状に成型されたものである。
【００２３】
こうした炭素鋼やインバー材は磁性を有しており、シャドーマスク１３、フレーム１４、内部磁気シールド１５、磁束捕捉板２１のいずれも最大磁束密度５００〜３０００、飽和磁束密度０．５〜２Ｔ、保磁力４０〜１０００Ａ／ｍ程度の磁気特性を有している。なお磁束捕捉板２１に限らず、材料の磁気特性は一般的に高透磁率、高飽和磁束密度、低保磁力であるものが望ましい。
【００２４】
また図２は陰極線管の内部構造の斜視図である。シャドーマスク１３、フレームの各要素１４ａ〜ｄ、内部磁気シールド１５、磁束捕捉板２１ａ、２１ｂは図２のように構成される。図１とも合わせて説明すると、磁束捕捉板２１ａ、２１ｂの横幅Ｈは基本的に出来るだけ大きい方がよく内部磁気シールド１５の被取付部の横幅Ｈｏと同程度が望ましいが、内部磁気シールド１５とファンネル１２の間に収納できる大きさまで広げてもかまわない。図１での磁束捕捉板２１の高さｄは内部磁気シールド１５とファンネル１２の間に収納できる大きさであればよいが、その範囲で出来るだけ消磁コイル１６に近づける、さらには交差させて消磁コイル１６の作る閉曲面を突き抜ける方が好ましい。
【００２５】
本発明による陰極線管は従来の陰極線管と同様に以下の通り動作する。図１の陰極線管はパネル１１の内側表面に塗布された不図示の蛍光体膜に対して電子銃１８から放射された電子ビームを、不図示の走査手段により走査する。これにより電子ビームはシャドーマスク１３上に形成された多数の電子ビーム通過孔（不図示）を通過し前記蛍光体膜の所望の部位にランディングすることで所望部位の蛍光体を発光させて所定の画像を表示を行う。
【００２６】
また消磁動作も同様に、不図示の電流発生手段より消磁コイル１６に大振幅かつ急速に減衰する交流電流が印加される。即ち、消磁コイル１６が発生する大振幅かつ急速に振動減衰する磁束がシャドーマスク１３の中を流れて、シャドーマスク１３の地磁界により着磁された部分を消磁させるようにしている。ただし図３に示す消磁動作時の磁束の流れは、図１１に示される従来の陰極線管のものとは異なる。
【００２７】
図３において消磁コイル１６によって発生された磁束２０（説明を簡略にするために磁束２０ａから２０ｆまでとする）上にある矢印は磁束２０の流れる方向を模式的に示すものである。
【００２８】
まず図３の本発明の陰極線管での消磁動作時において、まず上側消磁コイルの下辺１６ａで発生した磁束２０ａは内部磁気シールド上面部１５ａを通り、フレーム長辺上１４ａ、シャドーマスク１３の上部へと向かう。また上側消磁コイルの上辺１６ｂで発生した磁束２０ｂも同様にフレーム長辺上１４ａを通過して磁束２０ａと合流される。合流した磁束はシャドーマスク１３の他、フレーム短辺左右１４ｃ、１４ｄを通ってフレーム長辺下１４ｂに向かい磁束２０ｃと磁束２０ｄに分離される。磁束２０ｄは下側消磁コイルの下辺１６ｄで発生される磁束と合流される（磁束２０ｄは下側消磁コイルの下辺１６ｄが発生した磁束でもある）。磁束２０ｃは内部磁気シールド下面部１５ｂを経由してファンネル部から陰極線管外に向かい下側消磁コイル上辺１６ｃで発生する磁束と合流する（磁束２０ｃは下側消磁コイル上辺１６ｃが発生した磁束でもある）。陰極線管外にでた磁束２０ｃは陰極線管の外部を通過して上側消磁コイル下辺１６ａによる磁束２０ａと合流する。従って磁束２０の経路は図３に示すとおりの循環する経路となる。
【００２９】
さて、磁束捕捉板上下２１ａ、２１ｂがそれぞれ内部磁気シールド上面部１５ａ、下面部１５ｂに接続されている形で存在し、消磁コイル１６に近接あるいは交差している位置にあるため、新たな磁束２０ｅ、２０ｆが発生し、それぞれ磁束２０ａあるい２０ｃと合流している。その結果シャドーマスク１３に流れる磁束が従来の陰極線管に比べて増加し、従来の陰極線管では完全に除去できなかったようなシャドーマスク１３の強い着磁でも十分消磁する事が可能となった。これにより従来からの問題であったシャドーマスク１３の着磁部位からの漏れ磁束により電子ビームの軌跡が偏向して表示画質が劣化する問題を解決することが出来た。
【００３０】
なお前述した図２での磁束捕捉板２１ａ、２１ｂの幅Ｈについてであるが、上記の理由により幅Ｈが大きければ大きいほど磁束２０ｅ、２０ｆがより多く捕捉できるため、よりシャドーマスク１３の消磁効果を高めることが出来るのは自明である。図１での磁束捕捉板２１の高さｄと消磁コイル１６の間隔についても同様である。
【００３１】
また本発明の陰極線管ではシャドーマスク１３の消磁を完全に行う事が出来るため、従来よりもより少ない電流でも消磁能力を実用十分な範囲に保つことが出来る。その結果、消磁コイル１６自身やシャドーマスク１３、フレーム１４、内部磁気シールド１５などが振動して音鳴りを発生したり、消磁動作時の陰極線管のエネルギー消費が増加する問題を低減あるいは解決することが可能となる。
【００３２】
上記の効果を確かめるため、磁束捕捉板の有無以外は全く同一寸法であるパネル対角長さ３３インチ、パネル縦横比４対３の従来型の陰極線管と、実施の形態１に基づいた陰極線管（磁束捕捉板の高さ３ｃｍ）を試作し、シャドーマスク中央の水平面に探索用コイルを巻いてシャドーマスクを通過する磁束の量の測定を行った。消磁コイルには双方とも５０Ｈｚ２０００ＡＴｐｐの交流正弦波を印加し、探索用コイルに誘起される交流電圧からシャドーマスクを通過する磁束の量を求めた。その結果、従来型の陰極線管が磁束密度にして平均０．６Ｔo-pだったのに対し、実施の形態１に基づいた陰極線管では平均して０．７Ｔo-pとなり磁束の量が約１７％増量する結果が確認された。またこの結果より、シャドーマスクに流れる磁束の量を従来型の陰極線管と、実施の形態１に基づいた陰極線管とで同一量流すものとした場合、実施の形態１に基づいた陰極線管では、従来型に比べて電流値で約１４％、電力量で２７％低減できる計算となる事が示され、実施の形態１の効果を確認することが出来た。
【００３３】
（実施の形態２）
図４は本発明の実施の形態２を示す、磁束捕捉板が装着された陰極線管の一実施形態の構成を示す垂直断面図である。以上のように構成された陰極線管について、以下その動作を述べる。
【００３４】
図４に示すように、内側表面に不図示の蛍光体膜が形成されたパネル１１と、前記パネル１１と封着されるファンネル１２と、前記パネル１１内側表面から所定間隔で離隔され、多数の電子ビーム通過孔（不図示）が形成されたシャドーマスク１３と、前記シャドーマスク１３を支持するフレーム１４と、前記フレーム１４から担持される内部磁気シールド１５と、前記パネル１１及び前記ファンネル１２外側に捲回される上下１対の消磁コイル１６、および前記ファンネル部１２のコーン部１７に電子銃１８を具備している。以上は図１の実施の形態１での構成と同様なものである。
【００３５】
図１の実施の形態１と異なるのは磁束捕捉板２１が前記内部磁気シールド１５と一体構造もしくは溶接等により接合形成されていることである。機械的に密着固定されているとしても両者の界面でわずかな空隙が出来るのは避けられず、このため磁束捕捉板２１と内部磁気シールド１５との間に磁気抵抗が発生する。このため磁束捕捉板２１があることによる循環磁束が増加する効果に対して不利な影響を与えていた。磁束捕捉板２１が前記内部磁気シールド１５と一体構造もしくは溶接等により接合形成されていることにより、磁束捕捉板２１と内部磁気シールド１５との間の磁気抵抗がほとんど無視できる状況となる。そのため磁束捕捉板２１があることによるシャドーマスク１３に流れる新たな磁束の発生が促進される方向に働き、シャドーマスク１３の着磁に対しての消磁性能がより向上する事が分かる。また同様に消磁動作時の音鳴りや、消磁動作時の陰極線管のエネルギー消費をさらに低減あるいは解決することが可能となる。
【００３６】
（実施の形態３）
図５は本発明の実施の形態３を示す、磁束捕捉板が装着された陰極線管の一実施形態の構成を示す垂直断面図である。以上のように構成された陰極線管について、以下その動作を述べる。
【００３７】
図５に示すように、内側表面に不図示の蛍光体膜が形成されたパネル１１と、前記パネル１１と封着されるファンネル１２と、前記パネル１１内側表面から所定間隔で離隔され、多数の電子ビーム通過孔（不図示）が形成されたシャドーマスク１３と、前記シャドーマスク１３を支持するフレーム１４と、前記フレーム１４から担持される内部磁気シールド１５と、前記パネル１１及び前記ファンネル１２外側に捲回される上下１対の消磁コイル１６、および前記ファンネル部１２のコーン部１７に電子銃１８を具備している。以上は図１の実施の形態１での構成と同様なものである。
【００３８】
前記の実施形態と異なるのは磁束捕捉板２１が内部磁気シールド１５のフレーム側、かつ消磁コイル１６側への折り曲げ構造である事である。図３に示すように実施の形態１では磁束捕捉板２１からの磁束の経路が磁束捕捉板２１→内部磁気シールド１５→フレーム１４あるいはその逆となるので、磁束捕捉板２１からはいる磁束がフレーム１４まで到達するあいだに内部磁気シールド１５自体の磁気抵抗が介在する。これにより磁束捕捉板２１があることによる循環磁束の増加が阻害される方向にならざろう得なかった。本実施形態のように磁束捕捉板２１を内部磁気シールド１５のフレーム１４側、かつ消磁コイル１６側への折り曲げ構造とする事により磁束捕捉板２１とフレーム１４との距離が短くなり内部磁気シールド１５による磁気抵抗の影響を受けずに磁束捕捉板２１からの磁束がより多く流れることになる。以上のことから本実施形態の陰極線管ではシャドーマスク１３の着磁に対しての消磁性能がさらに向上する事が分かる。また同様に消磁動作時の音鳴りや、消磁動作時の陰極線管のエネルギー消費をさらに低減あるいは解決することが可能となる。
【００３９】
（実施の形態４）
図６は本発明の実施の形態４を示す、磁束捕捉板が装着された陰極線管の一実施形態の構成を示す垂直断面図である。以上のように構成された陰極線管について、以下その動作を述べる。
【００４０】
図６に示すように、内側表面に不図示の蛍光体膜が形成されたパネル１１と、前記パネル１１と封着されるファンネル１２と、前記パネル１１内側表面から所定間隔で離隔され、多数の電子ビーム通過孔（不図示）が形成されたシャドーマスク１３と、前記シャドーマスク１３を支持するフレーム１４と、前記フレーム１４から担持される内部磁気シールド１５と、前記パネル１１及び前記ファンネル１２外側に捲回される上下１対の消磁コイル１６、および前記ファンネル部１２のコーン部１７に電子銃１８を具備している。以上は図１の実施の形態１での構成と同様なものである。
【００４１】
前記の実施形態と異なるのは磁束捕捉板２１が内部磁気シールド１５の電子銃１８側、かつ消磁コイル１６側への折り曲げ構造である事である。図３に示すように実施の形態１では上側消磁コイルの下辺１６ａで発生した磁束２０ａは内部磁気シールド上面部１５ａの側壁を通り、フレーム長辺上１４ａ、シャドーマスク１３の上部へと向かっている（陰極線管下部でも磁束の方向以外は同様）。しかしながら内部磁気シールド上面部１５ａの端部と上側消磁コイルの下辺１６ａが離れているため、この間隔が磁気的には大きな抵抗となり消磁コイルに電流が印加されても印加した電流の割に十分な磁束が発生しない現象が起こっていた。この部分に図６の磁束捕捉板２１を取り付けることにより、図１で上側消磁コイルの下辺１６ａでより多くの磁束を発生することができる、あるいは発生した磁束をより効果的に内部磁気シールド上面部１５ａ内に取り込むことができるようになる。以上のことから本実施形態の陰極線管ではシャドーマスク１３の着磁に対しての消磁性能がより向上する事が分かる。また同様に消磁動作時の音鳴りや、消磁動作時の陰極線管のエネルギー消費をさらに低減あるいは解決することが可能となる。
【００４２】
（実施の形態５）
図７は本発明の実施の形態５を示す、磁束捕捉板が装着された陰極線管の一実施形態の構成を示す垂直断面図である。以上のように構成された陰極線管について、以下その動作を述べる。
【００４３】
図７に示すように、内側表面に不図示の蛍光体膜が形成されたパネル１１と、前記パネル１１と封着されるファンネル１２と、前記パネル１１内側表面から所定間隔で離隔され、多数の電子ビーム通過孔（不図示）が形成されたシャドーマスク１３と、前記シャドーマスク１３を支持するフレーム１４と、前記フレーム１４から担持される内部磁気シールド１５と、前記パネル１１及び前記ファンネル１２外側に捲回される上下１対の消磁コイル１６、および前記ファンネル部１２のコーン部１７に電子銃１８を具備している。以上は図１の実施の形態１での構成と同様なものである。
【００４４】
前記の実施形態と異なるのは磁束捕捉板２１の内部磁気シールド１５との接合部から先端部までの間で分岐した構造である事である。消磁コイル１６に近接する部分が増えるため、消磁コイル１６が発生した磁束をさらに効果的に内部磁気シールド１５内に取り込み、そしてシャドーマスク１３に流すことができるようになる。以上のことから本実施形態の陰極線管ではシャドーマスク１３の着磁に対しての消磁性能がより向上する事が分かる。また同様に消磁動作時の音鳴りや、消磁動作時の陰極線管のエネルギー消費をさらに低減あるいは解決することが可能となる。
【００４５】
（実施の形態６）
図８は本発明の実施の形態６を示す、上記実施の形態１から実施の形態５に示されるような磁束捕捉板が装着された陰極線管を用いた表示装置の一実施形態の構成を示すブロック図である。以上のように構成された表示装置について、以下その動作を述べる。
【００４６】
図８に示すように、消磁コイル１６、磁束捕捉板２１、電子銃１８などを具備した陰極線管３１に、走査手段３２が装着されている。消磁コイル１６は電流発生手段３３に接続され、電子銃１８は電子銃駆動回路３４に接続され、走査手段３２は走査手段駆動回路３５に接続されている。電子銃駆動回路３４、及び走査手段駆動回路３５は画像信号処理回路３６に接続され、画像信号処理回路３６は画像信号入力部３７に接続されている。なお矢印の向きは画像信号や電流などの流れる方向を示す。
【００４７】
外部より所定の形式の画像信号が画像信号入力部３７に入力されると、画像信号は画像信号処理回路３６に転送される。画像信号処理回路３６では画像信号を定められた方式により電子銃駆動回路３４及び走査手段駆動回路３５を動作させるために必要な形式の信号に変換し、電子銃駆動回路３４および走査手段駆動回路３５にそれぞれ動作用の信号を送り出す。電子銃駆動回路３４および走査手段駆動回路３５それぞれに送られる動作信号は両者の時間的な同期関係が取られたものとなっている。
【００４８】
電子銃駆動回路３４は画像信号処理回路３６からの動作信号を受け取り電子銃１８を駆動するために必要な信号に変換して電子銃１８に送る。電子銃１８は電子銃駆動回路３４からの信号に従って電子ビーム１９を放射する。
【００４９】
一方、走査手段駆動回路３５は画像信号処理回路３６からの信号に従って走査手段３２を動作させるのに必要な信号を発生させて走査手段３２に送る。走査手段３２は走査手段駆動回路３５からの信号に従って動作し、電子ビーム１９を偏向させて電子ビーム１９を蛍光体膜の所望の部位にランディングすることでパネル１１の内側表面に塗布された不図示の蛍光体膜の、所望部位の蛍光体を発光させて所定の画像を表示を行う。
【００５０】
さて、表示装置の電源投入時や任意のタイミングなどにて不図示の全体制御装置より電流発生手段３３は指示を受けて、消磁コイル１６に大振幅かつ急速に減衰する交流電流を供給しシャドーマスク１３の消磁が行われる。
【００５１】
上記実施の形態１から実施の形態５に示されるような磁束捕捉板が装着された陰極線管を用いる事により、陰極線管として消費電力が低減されるだけでなく電流発生手段から供給される電力が少なくてすむ分、電流発生手段としても消費電力の低減が望めるだけでなく、電流発生手段の小型化、低コスト化が可能となる。
【００５２】
なお、本発明の陰極線管およびこれを用いた表示装置において各実施形態とも多数の電子ビーム通過孔が形成されたシャドーマスクを支持するものについて述べたが、本発明はこれに限られるものではなく、シャドーマスク各端面がフレームと接合されている構造やシャドーマスクの上下の端面のみでフレームと接合されている構造でも、あるいはアパチャーグリルと呼ばれる多数の細条を架張支持したシャドーマスクを用いた場合でも同様の効果が得られる事は明らかである。
【００５３】
また、磁束捕捉板と消磁コイルの位置関係は出来るだけ交差、さらには磁束捕捉板が消磁コイル以遠にさらに延びていることが望ましいが、磁束捕捉板が消磁コイルと交差しなくても可能な限り近づいていれば十分な効果が得られる。
【００５４】
また、磁束捕捉板は１つだけに限らず、複数の磁束捕捉板を取り付ける事でもさらによい消磁性能を得ることが出来る。図９は陰極線管の磁束捕捉板の形状例を示す内部構造斜視図である。図９によると、複数の磁束捕捉板（図９ａ）や、またシャドーマスク等の着磁分布やファンネル部の形状に従って磁束捕捉板の形状を対称に左右分割したり（図９ｂ）、中央部のくり抜き（図９ｃ）をする事によりシャドーマスク消磁時の磁束の通過量を全体的に増加させたり、あるいはシャドーマスクの希望する部分だけ消磁時の磁束の通過量を増加させることで消磁効果を上げることができるのは明らかである。同様に、平面形状をファンネル部の形状に合わせた曲線にして磁束捕捉板と消磁コイルの交差部分を増加させることでも消磁効果を上げることが出来る。
【００５５】
また、側壁に切り込みを入れた内部磁気シールドを折り出して磁束捕捉板を形成しても同様の効果が得られることは明らかである（図９ｄ）。
【００５６】
【発明の効果】
以上のように本発明による陰極線管及びこれを用いた表示装置によれば、内部磁気シールドに磁束捕捉板を取り付けることにより、地磁気により強く着磁されたシャドーマスクでも十分に消磁する事が可能となりシャドーマスク着磁による表示画質が劣化する問題を解決できる。
【図面の簡単な説明】
【図１】本発明による陰極線管の実施の形態１を示す垂直断面図
【図２】本発明による陰極線管の実施の形態１の内部構造を示す斜視図
【図３】本発明による陰極線管の実施の形態１の消磁動作時の磁束経路の概略説明図
【図４】本発明による陰極線管の実施の形態２を示す垂直断面図
【図５】本発明による陰極線管の実施の形態３を示す垂直断面図
【図６】本発明による陰極線管の実施の形態４を示す垂直断面図
【図７】本発明による陰極線管の実施の形態５を示す垂直断面図
【図８】本発明による陰極線管を用いた表示装置の実施形態を示すブロック図
【図９】本発明による陰極線管の磁束捕捉板の形状例を示す内部構造斜視図
【図１０】従来の陰極線管を示す垂直断面図
【図１１】従来の陰極線管の消磁動作時の磁束経路の概略説明図
【符号の説明】
１１  パネル
１２  ファンネル
１３  シャドーマスク
１４  フレーム
１５  内部磁気シールド
１６  消磁コイル
１７  コーン部
１８  電子銃
１９  電子ビーム
２０  磁束
２１  磁束捕捉板
【図１】
0003659108.tif 000002
【図２】
0003659108.tif 000003
【図３】
0003659108.tif 000004
【図４】
0003659108.tif 000005
【図５】
0003659108.tif 000006
【図６】
0003659108.tif 000007
【図７】
0003659108.tif 000008
【図８】
0003659108.tif 000009
【図９】
0003659108.tif 000010
【図１０】
0003659108.tif 000011
【図１１】
0003659108.tif 000012